(57)【特許請求の範囲】
【請求項１】
水面に沿って長手方向が向くようにして処理池の一側のみに設置されるガイドレールと、同ガイドレールに沿って直線的に進退可能な走行可能な走行体と、処理池の他側に向けて片持式に張り出して前記走行体とともに移動自在に装備され水面上の浮遊物を掻き寄せる掻寄姿勢と水面上方を通過して復帰する非掻寄姿勢とに姿勢変換可能とされたスクレーパと、このスクレーパに設けられ固定側に設けられた固定ストッパに当って同スクレーパの姿勢を切り換えるためのウエイト付切り換えロッドと、前記走行体側から突設したカムとを備えており、沈澱池等の処理池の水面上の浮遊物をスクレーパにて掻き寄せるとともに掻寄方向に設置した浮遊物導入排除装置を同装置に設けた連動のためのローラーに前記カムを当てて連動させて浮遊物呑み込み状態にさせ得るようにした浮遊物掻寄装置であって、前記カムは、走行体からスクレーパよりも掻寄方向前方に長く突出するものであるとともにその底面が長い水平面とされていることを特徴とする浮遊物掻寄装置。
【請求項２】
請求項１記載のものにおいて、走行体は、掻寄時においてカムがローラーを押さえ始める時点に対応すべく浮遊物導入排除装置より手前の離れた前方位置で一定時間帯一旦停止制御されるようになっている浮遊物掻寄装置。
【請求項３】
水面に沿って長手方向が向くようにして処理池の一側のみに設置されるガイドレールと、挿寄方向に低く非掻寄方向に高く連続した補助レールを備えるとともに前記ガイドレールに沿って直線的に進退可能とされて掻寄方向に移動した際に掻寄方向に設置した浮遊物導入排除装置を浮遊物呑み込み状態に連動させ得るようにした走行体と、前記補助レールに沿って進退自在に設けられ掻寄時には掻寄方向の低い位置に非掻寄時には反掻寄方向の高い位置に高さ変換可能に設けられた移動体と、同移動体に垂下して設けられたスクレーパとを備えていることを特徴とする浮遊物掻寄装置。
【発明の詳細な説明】
【０００１】
【発明の属する技術分野】
この発明は、浮遊物掻寄装置に関する。
【０００２】
【従来の技術】
沈澱池等の処理池においては、水面上に浮遊物が滞留しこれをフライトの動きで一方向に掻き寄せて浮遊物導入排除装置にて除去するようになっている。
前記フライトは、池内で循環運動するものであるが、同フライトを駆動するチェーンは、４軸駆動方式によるものと３軸駆動方式によるもののいずれかで駆動されるようになっている。すなわち、４軸駆動方式の場合、上回りにきたフライトが一定の長さ間前記浮遊物導入排除装置の方向に浮遊物を掻き寄せるので、浮遊物の掻き寄せに問題はないが、３軸駆動方式の場合、上回りにきたフライトがすぐに水中に没するように駆動されるため、浮遊物の掻き寄せが殆どなされないのが実情である。
【０００３】
【発明が解決しようとする課題】
ところで、３軸駆動方式の場合、これまでは浮遊物掻寄装置を構成して浮遊物の掻き寄せを行うように配慮してあるものの、従来の浮遊物掻寄装置は、構造的に複雑でコスト的に見合わず、この点から改良が望まれていた。
【０００４】
この発明は前記課題を解決するためになされたもので、構造的に簡略化するだけでなく安価に提供することのできる浮遊物掻寄装置を提供することを目的とする。
【０００５】
【課題を解決するための手段】
前記課題を解決するため、請求項１記載の発明は、水面に沿って長手方向が向くようにして処理池の一側のみに設置されるガイドレールと、同ガイドレールに沿って直線的に進退可能な走行可能な走行体と、処理池の他側に向けて片持式に張り出して前記走行体とともに移動自在に装備され水面上の浮遊物を掻き寄せる掻寄姿勢と水面上方を通過して復帰する非掻寄姿勢とに姿勢変換可能とされたスクレーパと、このスクレーパに設けられ固定側に設けられた固定ストッパに当って同スクレーパの姿勢を切り換えるためのウエイト付切り換えロッドと、前記走行体側から突設したカムとを備えており、沈澱池等の処理池の水面上の浮遊物をスクレーパにて掻き寄せるとともに掻寄方向に設置した浮遊物導入排除装置を同装置に設けた連動のためのローラーに前記カムを当てて連動させて浮遊物呑み込み状態にさせ得るようにした浮遊物掻寄装置であって、前記カムは、走行体からスクレーパよりも掻寄方向前方に長く突出するものであるとともにその底面が長い水平面とされていることを特徴とする。
【０００６】
請求項２記載の発明は、請求項１記載のものにおいて、走行体は、掻寄時においてカムがローラーを押さえ始める時点に対応すべく浮遊物導入排除装置より手前の離れた前方位置で一定時間帯一旦停止制御されるようになっている。
【０００７】
請求項３記載の発明は、水面に沿って長手方向が向くようにして処理池の一側のみに設置されるガイドレールと、掻寄方向に低く非掻寄方向に高く連続した補助レールを備えるとともに前記ガイドレールに沿って直線的に進退可能とされて掻寄方向に移動した際に掻寄方向に設置した浮遊物導入排除装置を浮遊物呑み込み状態に連動させ得るようにした走行体と、前記補助レールに沿って進退自在に設けられ掻寄時には掻寄方向の低い位置に非掻寄時には反掻寄方向の高い位置に高さ変換可能に設けられた移動体と、同移動体に垂下して設けられたスクレーパとを備えていることを特徴とする。
【０００８】
【発明の実施の形態】
以下、図示した実施形態を参照してこの発明を詳細に説明する。
【０００９】
図１から図６は、この発明の好適な一実施形態を示すもので、１は処理池で、ここでは矩形沈澱池を示す。
【００１０】
同処理池１は、長手方向の側壁２が左右両側に形成されるとともに、それに直交する端部に端壁（図示省略）が形成されている。図１の３は底壁、４はピットをそれぞれ示している。
【００１１】
側壁２は、図５にその断面を示すように、上端に水平突部５を備えている。その下方には、水面６が設定され、同水面６は、図示レベルを標準にして上下に多少水位変動する。
【００１２】
処理池１内には、図１に示すように、三角形状の軌道でチェーン７が循環運動するようになっている。その三角形の頂点には、３軸を構成する回転軸８…とスプロケット９…が配され、これらによりチェーン７に設けられたフライト１０…が池内で循環して底壁３上に沈澱する汚泥をピット４まで掻き寄せる。
【００１３】
浮遊物掻寄装置は、一方の側壁２を支持側にして装備されている。この側壁２には、図５に断面を示すように、Ｈ形鋼（他の形状でもよい）でなるガイドレール１２がフランジを上下にして設けられ、同ガイドレール１２は、池上から垂設された複数列設状のステー１３…で池上面と水面６との間にあるように固定支持されている。図１においては、ステー１３…は省略されている。このステー１３…の上部には、長手方向が水平に向くようにして補助ガイドレール１４が固定されている。この補助ガイドレール１４は、Ｌ形のアングルでなり、ガイドレール１２と平行になっている。
【００１４】
１５は走行体で、同走行体１５は、略Ｌ形をした第１側板１６とそれより側壁２側の矩形板状の第２側板１７とからなり、これらの側板１６，１７がガイドレール１２を挟むようにして配されているとともに、両側板１６，１７は、水平で両側壁２，２の対向する方向に軸心が向く支持パイプ１８に固定されて垂直に向いている。両側板１６，１７には、図２に示すように、４点に走行ローラー１９…が設けられ、これらの走行ローラー１９がガイドレール１２に沿って転動するようになっている。
【００１５】
これらの走行ローラー１９…は、一側のローラー１９に接触する駆動ローラー２０で正逆に連動し、その駆動源２１は、走行体１５の裏側に装備されている。支持パイプ１８には、回転パイプ２２が回転自在に挿通支持され、同パイプパイプ２２は、図５に示すように、支持パイプ１８から他方の側壁２の方向に長く片持状に張り出している。回転パイプ２２には、図２に断面を示すように、前後二枚合わせて全体がＶの字をなすスクレーパ２３が固着され、その内部には発泡樹脂２４が充填されている。
【００１６】
２６は回転筒で、回転パイプ２２の先端外周に遊転自在に設けられ、その下部には、図６に平面形状を示すように、船形をしたフロート２７が常に水平を保ちながら浮かびながら進退するようにして取り付けられている。
【００１７】
尚、第１側板１６の上端には、上端ローラー２９が取り付けられ、同ローラー２９は、前記補助ガイドレール１４に引っ掛かるようにして走行するものである。また、第１側板１６の上端と前記回転筒２６との間には、ワイヤーロープでなる吊り上げロープ３０が図６に示すようにＶ字状をなして張設されている。３１はターンバックルでなる長さ調節具である。
さらに、３３はバランスウエイト、３４は受ローラーである。
【００１８】
以上構成により、駆動源２１により駆動ローラー２０および走行ローラー１９…が一方向に駆動されることで走行体１５がガイドレール１２に沿って矢印のように進退駆動される。走行体１５の外面には前後にストッパ３５が突設され、これに交互に当たって停止するように回転パイプ２２にウエイト付切り換えロッド３６が取り付けられている。
【００１９】
これに対して、図１に示すように、ガイドレール１２の先端および後側には固定ストッパ３７が設けられている。このストッパ３７はローラーでもよい。
図２に示す掻寄姿勢では、スクレーパ２３が垂直でロッド３６が前側のストッパ３５に受け止められた状態で前進する。水面上の浮遊物は、このスクレーパ２３により掻き寄せられて浮遊物導入排除装置４０の近づくまで誘導されるが、図３に示すように、排除装置４０のトラフ４１の樋中心から１５００ｍｍ前の位置にスクレーパ２３の中心がきたところ（この位置に限定はされない）で一旦停止される。
【００２０】
この位置で少し手前で、走行体１５から前方に長く張り出してその底面が水平面とされたカム３８が浮遊物導入排除装置４０側のローラー４２を前押ししながら押し下げる。
【００２１】
浮遊物導入排除装置４０は、図２にその断面を示すように、後壁が水面よりも高く前壁が水面よりも低く開口状になった略Ｊ形をした四角樋形のトラフ４１を備え、同トラフ４１は、長尺状のもので、その両端にフランジ４３を備えるものである。側壁２には図６に示すように、連通トラフ４４，４４が挿通固定され、同フランジ４５の間に前記フランジ４３を介してトラフ４１が横架固定される。連通トラフ４４とトラフ４１とは、トラフ４１の端部開口４６を通じて連通している。
【００２２】
一方の連通トラフ４４には、配列配置された沈澱池等からのスカム水（スカム混じりの水）が流れてくるがこれらがトラフ４１内を通じて他方の連通トラフ４４から次の浮遊物導入排除装置を経由してスカムピットを経由して排出される。
【００２３】
トラフ４１の前側には、先端が中空状をした堰４８が支持軸４９を介して上下に揺動するようにトラフ４１内に先端部が臨むようにして支持されている。堰４８の下端とトラフ４１との間はゴムなどでシールされている。この堰４８の両端には、扇形をした側板５０が取り付けられ、同側板５０は、フランジ４３の内面に備えた側面シール５２に常時接触しながら揺動するようにされている。
【００２４】
トラフ４１の前側下部には、図２に示すように、側壁２を介してブラケット５４が固定され、これに回転自在に回転パイプ５５が設けられている。同パイプ５５には、復帰ウエイト５６付の下部レバー５７が突設される一方、上方に向けて上部レバー５８が突設されている。このレバー５８の上端には、前記したローラー４２が設けられ、このローラー４２の支持軸と前記側板５０の一方とが連結ロッド５９により連結されている。従って、図２に示す状態から前記カム３８が進行すると、カム３８がローラー４２を蹴りながら押し下げることで、図３に示すように、連結ロッド５９を介して側板５０を押し下げるようにし、これにより、堰４８も下がるようになる。
【００２５】
走行体１５の前進がトラフ前Ｌのところで一旦停止し、この時、カム３８の先端下面にローラー４２がきたところで停止する。この際、堰４８は、図３のように水面６から所定に下がった呑込み状態になる。この状態が１〜３分続き、その間、水面上の浮遊物が水とともに呑みこまれる。尚、浮遊物導入排除装置４０には、水量規制のための水位追従堰６１が設けられている。同堰６１は、追従フロート６２を備えてその上端が水面６より常に数センチ下方レベルに位置するように制御される。従って、堰４８が大きく下がっても、この追従堰６１が水量規制するので多量の水を呑み込むおそれがない。この追従堰６１の方式は、以下の実施形態においても採用することがある。尚、６３はガイドロッドである。
【００２６】
前記一定の停止時間経過後、走行体１５が前進する。これにより、固定ストッパ３７が切り換えロッド３６を蹴ることで、スクレーパ２３は前向きに持ち上がって水面６より上方に持ち上がる。この間、ローラー４２はカム３８の底面に沿うので堰４８は定位置にある。従って、スクレーパ２３により浮遊物導入排除装置４０の直前まで浮遊物が掻き寄せられ、トラフ４１内に呑み込まれる。
【００２７】
スクレーパ２３は、切り換えロッド３６がウエイトの役目をするので、図４のように水平姿勢を保持する。そのまま図４に示すように後退するが、その間、カム３８がローラー４２から離れることで、復帰ウエイト５６が機能して堰４８は水面上に持ち上がって浮遊物の導入が阻止された状態になっている。
【００２８】
走行体１５の後退により、切り換えロッド３６が後退側の固定ストッパ３７に当たることで再び図２に示すようにスクレーパ２３が垂直な掻寄姿勢に戻される。以上が１サイクルである。
【００２９】
尚、前記実施形態では、フライト１０を循環させて汚泥を掻き寄せるものを組み合わせてあったが、例えば、池底の中に１本のガイドレールを敷設し、このガイドレールに沿って走行ローラーで進退可能にした走行体にスクレーパを装備し、このスクレーパが上下することで一方向に掻き寄せ他方向に復帰するような汚泥掻寄装置を組み合わせることがある。この場合、ガイドレールは池底に左右並列に配してもよい。
【００３０】
また、前記ガイドレール１２はＨ形以外に他の幾何学形状の部材を採用することができる。スクレーパ２３の持ち上げは、例えば、下部レバー５７が持ち上がるように、持ち上げレバーで持ち上がるようにしてもよい。さらに、堰４８は、トラフ４１より前向きに突出するタイプにしてもよい。また、トラフ４１は従来のように回転パイプ式（スカムスキマー方式）にしてもよい。同トラフ４１はコンクリートなどの土木質であってもよい。堰４８は先端を三角形をしたもの以外に長円形状や全体が板状のものであってもよい。また、前記実施形態では駆動源２１を備えているが、例えば、フライト駆動用の駆動源６５からの動力をラチェットを介してガイドレール１２に沿ったチェーンなどのコンベアに伝達するようにして駆動してもよい。回転軸８に備えたカムによりラチェットを介して駆動するようにしてもよい。また、スクレーパ２３の先端側は、他のガイドレールに沿って走行するようにしてもよい。
【００３１】
図７は、ガイドレール６７に沿って走行する走行体６８の外面に補助レール６９を突設しておき、同レール６９が、掻寄方向の低いレール部分と反掻寄方向の高いレール部分とその間を継ぐ部分からなり、このレール６９に沿って移動体７０が転動するように構成したもので、移動体７０には垂下状にスクレーパ７１が設けられている。移動体７０は前進（掻寄）時に低いレール部分にマグネット７２の力で保持されてスクレーパ７１が浮遊物を掻き寄せる。
【００３２】
ガイドレール６７の前後にはローラー７３が設けられ、同ローラー７３の前のものに移動体７０が当たることで、移動体７０が補助レール６９に沿って登り、マグネット７２により終端位置に停止する。これにより、スクレーパ７１も水面上に持ち上がり掻き寄せを終える。そのまま後退して後方のローラー７３に移動体７０が当たることで移動体７０が下げられ、スクレーパ７１も掻寄姿勢に戻される。尚、走行体６８には他のローラー７５が設けられ、進行とともに浮遊物導入排除装置側に立てられたレバー７６を蹴ることで堰７７が押し下げられるようになっている。また、走行体６８は、垂下した応動ロッド７９に、前記汚泥掻寄装置７８から立設した切り換えローラー８０が当たるようにして進退駆動させてもよい。同ローラー８０は、ローラー７９の前・後面に交互に当たるように切り換えられる。
【００３３】
図８および図９は、トラフ８２に堰８３を装備しレバー８４を連動自在に備えて浮遊物導入排除装置を構成する一方、側壁８５の一方には、架台８６を介してガイドレール８７を固定して構成してある。このガイドレール８７は、図９に示すようにリップ付のコの字形断面をもち図８に示すように側面が長円形状をなしている。
【００３４】
ガイドレール８７の前後端には、同レール外にあるようにして１対のスプロケット８９が設けられ、これらのスプロケット８９間にチェーン９０が掛けられている。同チェーン９０は、ガイドレール８７の外部を循環し、同チェーン９０に設けられたローラー９１がガイドレール８７に沿って転動する。９３は走行体で、同走行体９３は、上下のローラー９４…を介してガイドレール８７に直線的に進退するようになっている。この走行体９３の前側には縦レール９５が設けられ、縦レール９５内に沿ってローラー９１とともに上下・進退するローラー９６が嵌め込まれている。同ローラー９６とともにスクレーパ取付板９７が運動し、これにスクレーパ９８が取り付けられている。取付板９７にはレバー８４を作動させるローラー９９が突設されている。
【００３５】
駆動手段は、図８に仮想線で示すように、フライト駆動方式の回転軸１０１回りにカム１０２を備え、同カム１０２によりレバー１０３を応動させることでラチェットを介してスプロケット８９を連動させるようにしたり、池上に既設の駆動源からチェーン１０５を介してスプロケット８９を駆動するようにしてもよい。
【００３６】
スプロケット８９が駆動されると、チェーン９０→ローラー９６→縦レール９５を介して走行体９３が駆動される。走行体９３が前端にくると、ローラー９１がガイドレール８７の円軌道上にくるが、この時、ローラー９９は縦レール９５内に沿って移動することで吸収され、走行体９３は直線運動したままになる。これにより、スクレーパ９８が持ち上がる。走行体９３がさらに前進すると、ローラー９９がレパー８４を蹴り、堰８３を押し下げる。堰８３はウエイトなどにより自動で復帰する。
【００３７】
ローラー９１はガイドレール８７の上同りにくると、走行体９３が後退を始め、この周回運動により浮遊物は一方向にのみ掻き寄せられる。
尚、ガイドレール８７の後方には、ローラー９４を案内するための補助レール１０６が張り出している。
【００３８】
図１０は、スプロケット１０９にチェーン１１０を掛け渡し、同チェーン１１０にスクレーパ１１１を備えてスクレーパ１１１が循環運動するようにしたもので、同スクレーパ１１１にローラー１１２を備えて、スクレーパ１１１が上回りにきたところで蹴り上げられるカム（２段構えであるが１段でもよい）１１３を設けたものである。、このカム１１３が持ち上がることで、作動アーム１１４および連結ロッド１１５を介して堰１１６が押し下げられる。堰１１６はトラフ１１７内に向くようにしてもよい。尚、スプロケット１０９は、例えば、越流堰１１８内に設けられた回転羽根１１９から動力を取って駆動するようにしてもよいし、前記のような駆動方式にしてもよい。
【００３９】
図１１は、回転パイプ式のトラフ１２１にレバー１２２を備えて前後に回転自在にしたものにおいても図１０と同様の方式にすることができることを示したものである。尚、仮想線のように、走行体とともにローラー１２３が進行し、同ローラー１２３により軸１２４回りにカム１２５が回転するようにして、軸１２４から軸１２４回りに回転する別のカムローラー１２６によりトラフ１２１を押さえ込むようにしてもよい。
【００４０】
図１２は、ガイドレール１２８に走行体１２９を備えてスクレーパ１３０が前後に切り換えられるようにしたものにおいて、堰１３１の前側に固定回転軸１３２回りに上下揺動するウエイト１３３付レバー１３４を備えておき、同レバー１３４が堰１３１を押し下げるようにしたもので、この場合、レバー１３４は、走行体１２９側の例えば、スクレーパ軸１３６がレバー１３４を押し下げることで堰１３５を応動させるようにしてある。
【００４１】
図１３は、トラフ１３８に水平で前方に延びる軸１３９を前後に進退自在に備え、同軸１３９にカム１４０を備えるとともに前方に復帰するためのバネ１４１を備えて先端に当たり１４２を備えたものである。走行体１４３側の突部１４４が進行してくると、当たり１４２に当たることで、カム１４０が堰１４５を押し下げるものである。
【００４２】
図１４は、バルブ１４８を開けるとタンク１４９を通じて微量ずつ堰１５０内に水が供給されることで、堰１５０が水面下に下がり、堰１５０の孔を通じて少しずつ排水されることで、堰１５０が浮上するようにしたもので、バルブ１４８の開閉を走行体１５１による行うようにしたものである。尚、給水途中からの水を一部水面に放水するようにしてもよい。
【００４３】
図１５は、スプロケット１５３により循環運動をするチェーン（その他のワイヤーロープ、樹脂ロープ等でもよい）１５４にスクレーパ１５５を備えて、循環運動させるものにおいて、堰１５６側のレバー１５７を応動させることで同堰１５６を押し下げるようにしたものである。スクレーパ１５５の後方には当て１５８が設けられてスクレーパ１５５が逃げないようにしてある。尚、スプロケット１５３は、レバー１５９を介してラチェットを作動させて連続駆動するようにしてもよい。また、チェーン１５４には、スクレーパ１５５と逆の側にあるように張りウエイト１６０を備えてスクレーパ１５５が下回りにきた際にチェーン１５４が撓まないようにしてある。さらに、仮想線で示すスクレーパ１５５は前下がり状になっているが、このようにすると、上回りにきた際に下向きに反転する。
【００４４】
尚、トラフ１６１は２階建てとし、その間に網あるいは多孔質の分離板１６２を設けてもよい。この分離板１６２は、スカム水のうち水のみを通過させ上面には少しの水だけでスカムを流すように機能する。
【００４５】
図１６は、スクレーパ１６４が持ち上がる際に同スクレーパ１６４に配列した細線状のスカム切り１６５…によりスカムが切られるようにしたものである。仮想線のように同スカム切り１６５を水平にしてもよいし、スクレーパ１６４の下端に備えてもよい。
【００４６】
図１７は、スカムを切り開くように逆Ｖ字形のスカム切り１６７にしたものである。尚、同スカム切り１６７の上端稜部はのこ歯状にしてもよい。図１８は、図１５に関連するもので、側壁１６９の一方にコの字形をしたガイドレール１７０を備え、その内部でチェーン１７１が循環運動するようにしたもので、前記スクレーパ１５５およびウエイト１６０が装備されている。１７２は仕切板である。
【００４７】
図１９は、ガイドレール１７４を上下２段構えにして基板１７５に装備したものを示す。図２０は、スクレーパ１７７の形状についてのもので、同スクレーパ１７７は、幅方向中央が凹むようなＶ形状をしており、これにより、スカムが中央に集まってスカム処理が確実になる。仮想線のように両側が傾斜し中央が平坦な板面にしてもよい。
【００４８】
図２１は、スクレーパ１７９をワイヤーロープや樹脂ロープなどにしたものを示す。仮想線のように取付台１８０の前側からぶら下げてもよい。図２２に示すように、チェーン（リンクチェーンでもよい）をぶら下げてスクレーパ１８２にしてもよい。尚、チェーンは進行方向にチェーン軸が向くようになっているが、それに直交して向けてもよい。
【００５０】
図２３は、池の左右にスプロケット１８４とチェーン１８５を配したもので、その間を回転軸１８６で連結してあり、この回転軸１８６をレバー１８７付ラチェット１８８で回転駆動するようにしてある。１８９はスクレーパ、１９０は切溝である。
【００５１】
図２４は、上下にスクレーパ１９２がきた際に互いが干渉しないようにしたもので、ガイドレール１９３の上の部分にリフト部１９４を備えてある。図２５から図２８はガイドレールの種々の設置例を示している。図２５は、側壁１９６上にガイドレール１９７を設置し、それにローラー１９８を介して覆蓋１９９を移動自在にするとともに、同ガイドレール１９７を利用してローラー２００で走行可能なようにスクレーパ２０１を装備したものである。尚、２０２は抜け止めで、ガイドレール１９７の下端側面に固定されている。
【００５２】
図２６は、側壁１９６の内面にガイドレール２０３を固定し、同ガイドレール２０３にローラー２０４を介してスクレーパ２０５を走行自在にしたものである。また、図２７は、側壁１９６の上面にガイドレール２０７を設置し、これにスクレーパ２０８を案内するようにしてある。図２８は、側壁１９６上にポール２０９…を立設し、このポール２０９にステー２１０…を介してガイドレール２１１を固定したもので、ガイドレール２１１は図示のように丸パイプであったりＨ形鋼その他にする。２１２はスクレーパである。
【００５３】
図２９は、シリンダ等の往復駆動手段２１４とロッド２１５でスクレーパ２１６の複数が往復運動するようにしたものにおいて、近傍にカム板２１７を備え、同カム板２１７の溝に沿ってローラー２１８が運動するようにすることで、スクレーパ２１６が左方向に復帰する際に水面を越えて復帰するようにしたものであり、カム板２１７の溝２１９は、下側の水平溝部ａと曲がり部分を介する斜め溝部ｂと、上部の水平溝部ｃおよび垂直溝部ｄとで構成されるとともに、曲がり部分にバネ板２２０を備えている。そして、ローラー２１８は復帰する方向と持ち上げる方向に復帰バネ２２１を掛けてある。尚、ロッド２１５の軸上にバネを介することがある。
【００５４】
ロッド２１５が右に引かれるとローラー２１８が水平溝部ａを右方向に移動するので、スクレーパ２１６は、バネ２２１に抗しながら右の掻寄方向に連動する。ローラー２１８が曲がり部分にきて往復駆動手段２１４が逆向きに作動すると、ロッド２１８は曲がり部分から斜め溝部ｂ内に入り込むが、バネ板２２０で戻らないようにされるとともに、バネ２２１が作用するので、水平溝部ｃ内に持ち上がる。これにより、スクレーパ２１６は上昇し水面上を越えて復帰する。さらにローラー２１８は垂直溝部ｄを重みにより下がって図２９の状態に戻る。
【００５５】
図３０は、沈澱池２２３内にジグザグ状に掻寄板２２４…をヒンジ連結により浮上配置し、仮想線のように水面上で折り畳むように作動させることで、掻寄板２２４…間の浮遊物を矢印のように斜め方向に押しやられるようにしたものである。掻寄板２２４は紐状のものでもよい。
【００５６】
【発明の効果】
この発明は以上のように、構造的に簡略化するだけでなく安価に提供することのできる浮遊物掻寄装置を提供することができる。
【図面の簡単な説明】
【図１】この発明の一実施形態を示す浮遊物掻寄装置の側面全体図。
【図２】同装置を掻寄状態において示す側断面図。
【図３】同装置を掻寄状態でかつ浮遊物呑み込み状態で示す側断面図。
【図４】同装置を復帰状態において示す側断面図。
【図５】同装置の正面からの縦断面図。
【図６】同装置の平面図。
【図７】浮遊物掻寄装置の他の実施形態を示す側面図。
【図８】浮遊物掻寄装置の他の実施形態を示す側面図。
【図９】図８のＩＸ−ＩＸ線断面図。
【図１０】浮遊物掻寄装置の他の実施形態を示す側面図。
【図１１】スカムスキマーに浮遊物掻寄装置を組み合わせた実施形態を示す側面図。
【図１２】浮遊物掻寄装置の他の実施形態を示す側面図。
【図１３】浮遊物掻寄装置の他の実施形態を示す側面図。
【図１４】浮遊物掻寄装置が水駆動式である他の実施形態を示す側面図。
【図１５】浮遊物掻寄装置の他の実施形態を示す側面図。
【図１６】スカム切りを備えたスクレーパを示す側面図。
【図１７】スカム切りの他の実施形態を示す斜視図。
【図１８】浮遊物掻寄装置の他の実施形態を示す側面図。
【図１９】ガイドレールを２段構えにした例を示す断面図。
【図２０】中央にスカムを集めるようにしたスクレーパの例を示す平面図。
【図２１】スクレーパをロープ状にした例を示す側面図。
【図２２】スクレーパをチェーンで構成した実施形態を示す側面図。
【図２３】スクレーパを左右で支持し駆動するようにした実施形態を示す斜視図。
【図２４】上下のスクレーパの干渉を避けるようにした実施形態を示す側面図。
【図２５】覆蓋用ガイドレールにスクレーパを走行可能に備えた実施形態を示す断面図。
【図２６】ガイドレールの他の設置例を示す断面図。
【図２７】ガイドレールの他の設置例を示す断面図。
【図２８】ガイドレールの他の設置例を示す断面図。
【図２９】スクレーパが戻り時に水面上を越えるようにした実施形態を示す側面図。
【図３０】浮遊物掻寄装置の他の実施形態を示す平面図。
【符号の説明】
１…処理池  ６…水面  １２…ガイドレール  １５…走行体  ２１…駆動源
２３…スクレーパ  ４０…浮遊物導入排除装置。
【図１】
0003735746.tif 000002
【図２】
0003735746.tif 000003
【図３】
0003735746.tif 000004
【図４】
0003735746.tif 000005
【図５】
0003735746.tif 000006
【図６】
0003735746.tif 000007
【図７】
0003735746.tif 000008
【図８】
0003735746.tif 000009
【図９】
0003735746.tif 000010
【図１０】
0003735746.tif 000011
【図１１】
0003735746.tif 000012
【図１２】
0003735746.tif 000013
【図１３】
0003735746.tif 000014
【図１４】
0003735746.tif 000015
【図１５】
0003735746.tif 000016
【図１６】
0003735746.tif 000017
【図１７】
0003735746.tif 000018
【図１８】
0003735746.tif 000019
【図１９】
0003735746.tif 000020
【図２０】
0003735746.tif 000021
【図２１】
0003735746.tif 000022
【図２２】
0003735746.tif 000023
【図２３】
0003735746.tif 000024
【図２４】
0003735746.tif 000025
【図２５】
0003735746.tif 000026
【図２６】
0003735746.tif 000027
【図２７】
0003735746.tif 000028
【図２８】
0003735746.tif 000029
【図２９】
0003735746.tif 000030
【図３０】
0003735746.tif 000031